(57)【要約】【課題】保温性に優れた防寒ソックスを提供する。【解決手段】甲側部分３の編組織と足底部分４の編組織とは難燃繊維５とポリウレタン糸をポリプロピレン糸でカバーリング加工した裏糸７と吸湿発熱繊維８とを用いて編成されているので、甲側部分３と足底部分４とが冷えにくい防寒ソックス１とすることができる。なお、甲側部分３よりもさらに冷えを感じ易い足底部分４を３本の難燃繊維５を用いて編成することによっていっそう快適な防寒ソックス１とすることができる。【選択図】図６
2014091889.tif 000002
【特許請求の範囲】
【請求項１】
甲側部分の編組織と足底部分の編組織とは難燃繊維とポリウレタン糸をポリプロピレン糸でカバーリング加工した裏糸と吸湿発熱繊維とを用いて編成されていることを特徴とする防寒ソックス。
【請求項２】
甲側部分の編組織は２本の難燃繊維を用いて編成され、足底部分の編組織は３本の難燃繊維を用いて編成されていることを特徴とする請求項１に記載の防寒ソックス。
【請求項３】
甲側部分の編組織と足底部分の編組織とはパイル編みされていることを特徴とする請求項１または２に記載の防寒ソックス。
【発明の詳細な説明】
【技術分野】
【０００１】
本発明は、足の冷えを防止する防寒ソックスに関するものである。
【背景技術】
【０００２】
室内を暖房する場合には、室内の上部に熱が溜まりやすく室内の下部が暖まりにくいので、足元が冷えやすくなる。床がフローリングなどの場合には、フローリングを暖房し、畳敷きの和室などでは畳に床暖房カーペットを敷いて足元を暖めることがある。
【発明の概要】
【発明が解決しようとする課題】
【０００３】
フローリングの床暖房や床暖房カーペットなどを用いることなく防寒ソックスを用いて足の冷えを防止し、あるいは防寒ソックスを用いることによってフローリングの床や床暖房カーペットの設定温度を下げることができれば、足にやさしく、節電をして環境に配慮することができる。
【０００４】
本発明の目的は、保温性に優れた防寒ソックスを提供することである。
【課題を解決するための手段】
【０００５】
この課題を解決するために請求項１に係る発明は、甲側部分の編組織と足底部分の編組織とは難燃繊維とポリウレタン糸をポリプロピレン糸でカバーリング加工した裏糸と吸湿発熱繊維とを用いて編成されている。
【０００６】
請求項２に係る発明では、甲側部分の編組織は２本の難燃繊維を用いて編成され、足底部分の編組織は３本の難燃繊維を用いて編成されている。
請求項３に係る発明では、甲側部分の編組織と足底部分の編組織とはパイル編みされている。
【発明の効果】
【０００７】
請求項１記載の発明によれば、難燃繊維は生地の密度が高く、ポリプロピレン糸は熱伝導率が低く、吸湿発熱繊維は吸湿性が高く湿気を繊維内に吸収するときに発熱するので、甲側部分と足底部分とが冷えにくい防寒ソックスを提供することができる。
【０００８】
請求項２記載の発明によれば、冷えを感じ易い甲側部分を２本の難燃繊維を用いて編成し、甲側部分よりもさらに冷えを感じ易い足底部分を３本の難燃繊維を用いて編成することによっていっそう快適な防寒ソックスとすることができる。
【０００９】
請求項３記載の発明によれば、クッション性に優れた足にやさしい防寒ソックスとすることができる。
【図面の簡単な説明】
【００１０】
【図１】本発明の一実施の形態に係る防寒ソックスの側面図である。
【図２】同防寒ソックスの口ゴム部分の編み組織図である。
【図３】同防寒ソックスの甲側部分の編み組織図である。
【図４】同防寒ソックスの足底部分の編み組織図である。
【図５】同防寒ソックスの甲側部分の断面図である。
【図６】同防寒ソックスの足底部分の断面図である。
【発明を実施するための形態】
【００１１】
以下、本発明の一実施の形態について図１〜図６に基づいて説明する。図１に示すように、防寒ソックス１は、口ゴム部分２と甲側部分３と足底部分４とを備えている。口ゴム部分２は足首を覆い、甲側部分３は足の甲、アキレス腱およびくるぶしを覆う。足底部分４は足裏と足裏の周縁部と爪先とを覆う。
【００１２】
口ゴム部分２は３本の難燃繊維５とゴム糸６とで編成され、保温性を高めるために２重編みされている。甲側部分３は、２本の難燃繊維５と裏糸７と吸湿発熱繊維８とで編成されている。足底部分４は３本の難燃繊維５と裏糸７と吸湿発熱繊維８とで編成されている。
【００１３】
難燃繊維５は、アクリル成分（アクリロニトリル）が３５％〜８５％含有され通常のアクリル繊維よりアクリル成分の含有量が少ないモダアクリル繊維が９０％、ウールが１０％の混紡糸が用いられる。モダアクリル繊維として株式会社カネカ製カネカロン(登録商標)が用いられる。カネカロンはアクリルニトリルと塩化ビニルとを共重合したポリマーを原料としている。塩化ビニルは難燃性に優れており、モダアクリル繊維は繊維樹脂自体が難燃性を有しているので、洗濯などによって難燃効果が衰えたり消え落ちたりすることがない。混紡糸は、保温性を向上させるために２５％収縮するバルキー加工が施されている。
【００１４】
裏糸７としては、ポリウレタンにポリプロピレンのカバーリング加工を施したＦＴＹ（フィラメントツイストヤーン）が用いられる。ポリプロピレンの熱伝導率は０．１２（Ｗ/（ｍ・Ｋ））と小さく保温性に優れている。
【００１５】
吸湿発熱繊維８としてエクス混紡糸が用いられる。エクス混紡糸には、アクリル繊維が７０％含有され、日本エクスラン株式会社製エクス（登録商標）が３０％含有されている。エクス混紡糸は、繊維内に湿気を吸着するときに熱（吸着熱という。）を発生する。なお、防寒ソックス１の内面側に位置する難燃繊維５と吸湿発熱繊維８とのパイル部は空気を蓄えやすくするために起毛部９が設けられている。
【００１６】
防寒ソックス１の甲側部分３と足底部分４とにおいて用いられる吸湿発熱繊維８は難燃繊維５と一緒に給糸されるが、これに限定されるものではない。吸湿発熱繊維８と難燃繊維５とを別々に給糸して、空気と比べて熱伝導率が高く水分を保持した吸湿発熱繊維８のパイルループを難燃繊維５のパイルループよりも小さくすることによって、吸湿発熱繊維８が足に直接接触して足が冷えることを防止することができる。
【００１７】
なお、本実施形態に係る防寒ソックス１の消費熱量を測定したところ１．６×１０−３Ｗ／ｃｍ２・℃であった。比較例として他の２足の防寒ソックスについて消費熱量を測定したところ１．８×１０−３Ｗ／ｃｍ２・℃と２．０×１０−３Ｗ／ｃｍ２・℃であった。
【００１８】
このように、甲側部分３の編組織と足底部分４の編組織とは難燃繊維５とポリウレタン糸をポリプロピレン糸でカバーリング加工した裏糸７と吸湿発熱繊維８とを用いて編成されているので、甲側部分３と足底部分４とが冷えにくい防寒ソックス１とすることができる。
【００１９】
さらに、冷えを感じ易い甲側部分３を２本の難燃繊維５を用いて編成し、甲側部分３よりもさらに冷えを感じ易い足底部分４を３本の難燃繊維５を用いて編成することによっていっそう快適な防寒ソックス１とすることができる。
【００２０】
さらに、甲側部分の編組織と足底部分の編組織とはパイル編みされているので、クッション性に優れた足にやさしい防寒ソックスとすることができる。
【符号の説明】
【００２１】
１    防寒ソックス
２    口ゴム部分
３    甲側部分
４    足底部分
５    難燃繊維
６    ゴム糸
７    裏糸
８    吸湿発熱繊維
９    起毛部
【図１】
2014091889.tif 000003
【図２】
2014091889.tif 000004
【図３】
2014091889.tif 000005
【図４】
2014091889.tif 000006
【図５】
2014091889.tif 000007
【図６】
2014091889.tif 000008